(57)【要約】【課題】耐湿性に優れ、安いコストで形成できる表示付電子装置を提供する。【解決手段】１枚の実装基板５０にＩＣ６６Ａ、６６Ｂと表示素子６０を実装する表示付電子装置７０において、実装基板５０の表示素子６０周囲に切抜部５０ｃを形成し、表示素子６０の上下を覆う全面に２枚の防湿シート６７Ａ、６７Ｂを設け、２枚の防湿シート６７Ａ、６７Ｂを実装基板５０の切抜部５０ｃにおいて接着し、接合することにより表示素子６０を密封固定する。また、表示素子６０を矩形形状に形成し、切抜部５０ｃは表示素子６０の接続電極を設けた一辺を除く他の三辺に形成する。【選択図】図１
2013190912.tif 000002
【特許請求の範囲】
【請求項１】
１枚の実装基板にＩＣと表示素子を実装する表示付電子装置において、前記実装基板における前記表示素子の周囲に切抜部を形成し、前記表示素子の上下を覆う全面に２枚の防湿シートを設け、前記実装基板に設けた切抜部を通して、前記２枚の防湿シートを互いに直接接着することを特徴とする表示付電子装置。
【請求項２】
前記表示素子は矩形形状であり、前記表示素子の配線電極を設けた一辺を除く他の三辺側の前記実装基板に前記切抜部を設けたことを特徴とする請求項１に記載の表示付電子装置。
【請求項３】
前記防湿シートは接着面側に予め接着剤が設けられていることを特徴とする請求項１に記載の表示付電子装置。
【発明の詳細な説明】
【技術分野】
【０００１】
本発明は、ＩＣカードやＩＣタグなどの電子装置に関し、特に、電気泳動表示素子などの表示機能を備えた表示付電子装置に関する。
【背景技術】
【０００２】
近年、ＩＣカードは、磁気カードに比べて大量のデータを記憶できるメモリを搭載していることから一枚のカードで多くの情報を格納することができること、また、マイクロコンピュータによりデータ管理を行うのでセキュリティ性が高いということ、などから社員証や定期券、キャッシュカード、クレジットカードなど様々な分野で利用されるようになってきている。
【０００３】
また、ＩＣカードに電気泳動表示素子などの表示素子を搭載して、ＩＣカードをリーダライタと接続させてリーダライタの読取装置から情報を読取り、読み取った情報をＩＣカードの表示素子に表示させる方法、あるいは、リーダライタと非接触でデータの授受を行うＲＦＩＤ（Ｒａｄｉｏ  Ｆｒｅｑｕｅｎｃｙ  ＩＤｅｎｔｉｆｉｃａｔｉｏｎ）システムを用いて非接触方法で、ＩＣカードの表示素子に情報を表示させる方法、などが行われるようになってきている。
【０００４】
ＲＦＩＤシステムを使い、表示素子を備えたＩＣカードに関しては、現在様々な技術が開示されている（例えば、特許文献１）。
特許文献１にはＩＣカードの一種であるＲＦＩＤラベルの構成が示されている。図４は特許文献１に示されたＲＦＩＤラベルの構成を示す図で、ＲＦＩＤラベルを曲げた状態での斜視図を示している。なお、図４は分かり易く説明するために、主旨を逸脱しない範囲で符号を書き直ししたものである。
【０００５】
特許文献１に示されたＲＦＩＤラベル１の構成は、図４に示されるように、ＩＳＯ規格に準拠した平面サイズを有するシート基板１０と、シート基板１０上にループパターン状に設けたアンテナコイル１１と、コンデンサ１２と、シート基板１０上にフリップチップ実装して設けたＩＣチップ１３と、ＩＣチップ１３の保護目的でＩＣチップ１３の周りに設けた補強板１５と、電気泳動表示素子からなる表示部１４と、図示はされていないが、ＲＦＩＤラベル１の表面を覆って上記の各構成を保護する保護シートと、から構成している。
【０００６】
上記ＩＣチップ１３はデータ受信部、データ送信部、電力生成部、データ記憶部、表示駆動部、データ制御部、を持っていて、それぞれ次のような働きをなしている。
データ受信部は、アンテナコイル１１が受信した電磁波からデータを取りだし、このデータをデータ制御部に供給する。データ送信部は、データ制御部からのデータ送信指令に基づいて送信するデータを所定周波数の交流電流に変調し、アンテナコイル１１から電磁波として送信する。電力生成部は、共振回路からの交流電流からＲＦＩＤラベル１が動作可能な電力を生成し、この電力をデータ記憶部に供給する。データ記憶部は、不揮発性のメモリなどで構成され、ＲＦＩＤラベル１が有する固有の識別ＩＤや、他のデータを記憶しておく。表示駆動部は、データ制御部からのデータ表示指令に基づいて表示部１４を駆動させる。データ制御部は、データ送信部、データ記憶部、及び表示駆動部のそれぞれの動作を制御する働きをなしている。
【０００７】
また、電気泳動表示素子からなる表示部１４は、ＩＴＯ電極膜からなる透明電極と導体パターンで形成されたセグメント電極との間に電気泳動表示素子を挟んだ構成をなしてい
る。
【０００８】
特許文献１によれば、シート基板１０の厚みを約２５μｍ、ＩＣチップ１３の厚みを６０μｍ、補強板１５の厚みを約１００μｍ、表示部１４の厚みを１２０μｍに設定していることにより、ＲＦＩＤラベル１には可撓性が得られ、湾曲しても結線部の損傷は小さく抑えられるとしている。
【０００９】
また、電気泳動カプセルやＩＴＯ膜からなる透明電極などは水分や湿気に大変弱いという問題がある。そのため、水や湿気から保護する技術については、過去に様々な技術開発が行われ、その開発技術も開示されてきている。（例えば、特許文献２）
【００１０】
図５は特許文献２に示された電気泳動型表示装置の要部断面図を示したものである。なお、図５は分かり易く説明するために、主旨を逸脱しない範囲で符号を書き直ししたものである。
特許文献２に示された電気泳動型表示装置３０は、図５に示されるように、表示装置本体２０の上下面を表示装置本体２０の幅より広い幅を持った上面保護フィルム３１と下面保護フィルム３２で覆い、表示装置本体２０の幅より両側に飛び出した飛出し部分の上面保護フィルム３１と下面保護フィルム３２とを接着して封止部３３を形成し、その両側の封止部３３を背後側に折り畳んだ構成をなしている。
【００１１】
表示装置本体２０は、下面に配線電極２８、上面に画素電極２７を形成したフレキシブル回路基板２６の画素電極２７上に表示素子２５を設けた構成をなす。また、表示素子２５は、透明樹脂基板２１の下面に、ＩＴＯ電極からなる共通電極２２と、接着層２４の中に電気泳動粒子を分散媒質と共に封止した多数のマイクロカプセル２３を敷き詰めた電気泳動層とを積層した構成をなしている。
【００１２】
特許文献２においては、上面保護フィルム３１には湿度遮断性能に優れた透明フィルムを用い、下面保護フィルム３２には樹脂コートされたアルミの多層膜を用いている。そして、この上面保護フィルム３１と下面保護フィルム３２とで、マイクロカプセル２３や共通電極２２を設けた表示素子２５、配線電極２８や画素電極２７を設けたフレキシブル回路基板２６を被覆して封止している。
【先行技術文献】
【特許文献】
【００１３】
【特許文献１】特開２００６−１３９３４４号公報（図１、図２、図３参照）
【特許文献２】特開２０１０−１５１８９７号公報（図１、図２参照）
【発明の概要】
【発明が解決しようとする課題】
【００１４】
しかしながら、特許文献１に示されたＲＦＩＤラベル１の構成は、次のような問題を有する。ＲＦＩＤラベル１を構成する表示部１４はＩＴＯ電極膜からなる透明電極と導体パターンで形成されたセグメント電極との間に電気泳動表示素子を挟んだ構成をなし、また、ＲＦＩＤラベル１は表示部１４を含む構成部品の表面に保護シートを単に貼付けた構成をなすものである。厚みが薄く、表示部１４やＩＣチップ１３などの構成部品を設けたシート基板１０の表面に接着剤を介して保護シートを貼付けた構成は、シート基板１０と保護シートとの間の接着剤の層に水分が浸透し易く、浸透した水分によって表示部１４の電気泳動表示素子や透明電極、セグメント電極などが変質し、表示品質の劣化や表示寿命が短くなるという問題が発生する。
【００１５】
防湿性を高めるためには、特許文献２のように、電気泳動表示素子の上面側と下面側の
両方に保護フィルムを設けることが好ましい。しかし、特許文献１では、表示素子の下基板が他の電子部品も実装しているシート基板と兼ねており、下基板が電気泳動表示素子自体の大きさよりもかなり大きいため、両面に保護フィルムを設けて電気泳動表示素子を包み込むようにすることができなかった。
【００１６】
本発明は、上記の課題に鑑みてなされたもので、電気泳動型表示素子などの表示素子を用いた表示付電子装置において、安いコストで形成できて、可撓性を有して耐湿性に優れた表示付電子装置を提供することを目的とするものである。
【課題を解決するための手段】
【００１７】
課題を解決するための手段として、本発明の表示付電子装置は、１枚の実装基板にＩＣと表示素子を実装する表示付電子装置において、実装基板における表示素子の周囲に切抜部を形成し、表示素子の上下を覆う全面に２枚の防湿シートを設け、実装基板に設けた切抜部を通して、２枚の防湿シートを互いに直接接着することを特徴とする。
【００１８】
また、表示素子は矩形形状であり、表示素子の配線電極を設けた一辺を除く他の三辺側の実装基板に切抜部を設けるのが好ましい。
【００１９】
また、防湿シートは接着面側に予め接着剤が設けられているのが好ましい。防湿シートに予め接着剤が設けられていると、熱圧着などの簡単な方法で防湿シートを接着することができる。製造コストのダウン効果を得る。
【発明の効果】
【００２０】
実装基板の表示素子周囲に開口する切抜部を形成し、表示素子の上面と切抜部を形成した実装基板の下面とを挟んで上下に２枚の防湿シートを貼付け、切抜部の開口した部分で上下の２枚の防湿シート同士を直接接着固定することによって強固な密着力と接合力が得られ、表示素子と実装基板は上下２枚の防湿シートによって密封した状態になる。強固な密着力と接合力によって上下の防湿シートの接着層への水分の浸透が抑制され、耐湿性に優れた表示付電子装置が得られる。
【００２１】
表示素子を矩形形状に形成し、表示素子の周囲の一辺に配線電極を集合させて設けるようにすると、他の三辺側は電極を設ける必要がない。その三辺側のあき部分を利用して、実装基板に切抜部を設けることが可能になる。表示素子を囲む三辺に繋がった切抜部を設け、その切抜部内で上下２枚の防湿シートを接着固定すると、表示素子の周囲、広い領域での接着固定と密封構造が得られる。
【００２２】
以上述べたように、本発明によれば、簡単な構造の下で耐湿性に優れた表示付電子装置が得られる。また、簡単な構造であるので製作が容易となり、製造コストも低く抑制することができる。
【図面の簡単な説明】
【００２３】
【図１】本発明の実施形態に係る表示付電子装置の上面（表面）を模式的に示した平面図である。
【図２】本発明の実施形態に係る表示付電子装置の下面（裏面）を模式的に示した平面図である。
【図３】図１におけるＸ−Ｘ切断線面の要部断面図である。
【図４】特許文献１に示されたＲＦＩＤラベルの構成を示す図で、ＲＦＩＤラベルを曲げた状態での斜視図である。
【図５】特許文献２に示された電気泳動型表示装置の要部断面図である。
【発明を実施するための形態】
【００２４】
以下、本発明の実施形態に係る表示付電子装置について、図１〜図３を用いて説明する。なお、図１は本発明の実施形態に係る表示付電子装置の上面（表面）を模式的に示した平面図、図２は下面（裏面）を模式的に示した平面図、図３は図１におけるＸ−Ｘ‘切断線面の要部断面図を示している。
【００２５】
［本実施形態の表示付電子装置の構成の説明：図１〜図３］
本実施形態に示す表示付電子装置はＩＣカードであり、データの授受を非接触で行うＲＦＩＤシステムを利用した構成を取る。
図１において、本発明の表示付電子装置７０はフレキシブルな実装基板５０の上面５０ａ側に、２つのループアンテナ５９を設けている。１つは実装基板５０の外周に沿って設けた電源用ループアンテナ５９Ａと、もう１つは電源用ループアンテナ５９Ａの内側にあって図中左側に略正方形状に形成したデータ通信用のデータ用ループアンテナ５９Ｂである。これら２つのループアンテナ５９は、後述するＦＰＣ基板でもって構成する実装基板５０のベースフィルム上に銅箔などの材料で形成している。
【００２６】
電源用ループアンテナ５９Ａは、別途に設けているリードライタから送信される所定周波数の電磁波を受けて電磁誘導により電力を起動させるもので、後述するＲＦＩＤ用ＩＣ６６Ａ及び表示素子用ＩＣ６６Ｂと接続し、ＲＦＩＤ用ＩＣ６６Ａ及び表示素子用ＩＣ６６Ｂに電力を生成させる。
【００２７】
データ用ループアンテナ５９ＢはＲＦＩＤ用ＩＣ６６Ａと接続して、リードライタからのデータを受信してＲＦＩＤ用ＩＣ６６Ａを駆動させる。
【００２８】
また、上面５０ａ側には、上記した２つのＩＣ、即ち、所要の情報を駆動するＲＦＩＤ用ＩＣ６６Ａと、表示素子６０を駆動する表示素子用ＩＣ６６Ｂとを実装している。このＲＦＩＤ用ＩＣ６６Ａと表示素子用ＩＣ６６Ｂは接続されていて、ＲＦＩＤ用ＩＣ６６Ａからの信号に基づいて表示素子用ＩＣ６６Ｂが駆動し、表示素子６０が操作されるようになっている。
【００２９】
また、上面５０ａ側には、電源用ループアンテナ５９Ａの内側にあって、図中右上側で実装基板５０上に表示素子６０を設けている。この表示素子６０は、本実施形態においては、８の字型の表示パターン６５を複数持った表示素子で、数字を表示するものになっている。また、表示素子６０と表示素子用ＩＣ６６Ｂは配線電極を介して接続されていて、表示素子用ＩＣ６６Ｂによって表示素子６０が駆動制御されている。
【００３０】
次に、図３を用いて、実装基板５０と実装基板５０上に配設した表示素子６０の構成について説明する。
実装基板５０はＦＰＣ（Ｆｌｅｘｉｂｌｅ  Ｐｒｉｎｔｅｄ  Ｃｉｒｃuｉｔ）基板からなり、ポリイミド樹脂からなるベースフィルム５１と、ベースフィルム５１の上面に設けた前述の８の字型の表示パターン６５を形成する７個からなるセグメント電極５２と、７個のセグメント電極５２のそれぞれの電極５２に設けたスルホール電極５３と、スルホール電極５３に接続してベースフィルム５１の下面に配設した下面配線電極５４と（図３、図２参照）、スルホール電極５３を介して下面配線電極５４と接続し、表示素子用ＩＣ６６Ｂに接続する上面配線電極５５と（図１、図２参照）、ベースフィルム５１上の上面
配線電極５５や２つのループアンテナ５９などを保護するために設ける透明樹脂フィルムからなる上面オーバレイ５６と、ベースフィルム５１の下面の下面配線電極５４を保護するために設ける透明樹脂フィルムからなる下面オーバレイ５７と、から構成している。なお、セグメント電極５２、上面配線電極５５、下面配線電極５４、スルホール電極５３などは銅または銅箔などの材料から形成しているものである。
【００３１】
図２において、実装基板５０の下面５０ｂには、７個のセグメント電極５２のそれぞれのセグメント電極５２に設けたスルホール電極５３（図中、小さな黒点で示している）、スルホール電極５３に接続して設けた下面配線電極５４、そして、下面配線電極５４の先端にスルホール電極５３を設けて、図１に示す上面配線電極５５へと接続し、これによって表示素子用ＩＣ６６Ｂとセグメント電極５２とが接続する。そして、セグメント電極５２に表示素子用ＩＣ６６Ｂから電圧が印加されるようになっている。
【００３２】
表示素子６０は、図３に示すように、透明な樹脂フィルムからなる透明基板６１と、透明基板６１の下面に設けたＩＴＯ膜からなる共通電極６２と、接着層６４の中に均一に敷き詰めたマイクロカプセル６３とから構成している。そして、この表示素子６０を実装基板５０に形成したセグメント電極５２上及びベースフィルム５１上に接着層６４を介して接着することによって表示素子６０が実装基板５０上に固定される。
マイクロカプセル６３は電気泳動素子からなるもので、例えば、酸化チタンからなる白の粒子とカーボンブラックからなる黒の粒子とをシリコンオイルなどの粘性の高い分散媒で分散してカプセル殻内に封入したものからなっている。
なお、共通電極６２は実装基板５０に設けた接続電極に接続されて、下面配線電極や上面配線電極などを介して表示素子用ＩＣ６６Ｂと接続している。
【００３３】
以上の構成をなした表示素子６０の表示パターン６５の表示は、表示素子用ＩＣ６６Ｂの駆動によって表示素子６０の共通電極６２と実装基板５０の７個のセグメント電極５２に選択的に電圧が印加されることによって数字なる表示が行われる。
【００３４】
ここで、実装基板５０上に設けた表示素子６０は、図１に示すように、表示パターン６５が横に複数並んだ状態をなして矩形の形状をなす。そして、その矩形形状をなす四辺の内の三辺側に、表示素子６０を囲うようにして、実装基板５０に所要の幅の切抜部５０ｃ（斜線で示した部分）を設けている。切抜部５０ｃは連続して一つの切抜部としてもよいし、いくつかに分断して複数設けても構わない。
【００３５】
矩形形状をなす表示素子６０の四辺の内の一辺の領域は、即ち、表示素子用ＩＣ６６Ｂに対向する側の一辺の領域は、配設した下面配線電極５４や上面配線電極５５などからなる接続電極によって埋められている。これに対し、他の三辺の領域は、電源用ループアンテナ５９Ａとの間に十分な隙間を持っている。そこで、その隙間を利用して、表示素子６０を囲うようにして三辺側の実装基板５０に切抜部５０ｃを設けている。
【００３６】
また、表示素子６０の上面には、図１及び図３に示すように、ＰＥＴ（ポリエチレンテレフタレート）樹脂シートからなる上面防湿シート６７Ａを設けている。この上面防湿シート６７は、表示素子６０の共通電極６２やマイクロカプセル６３の防湿性を高めるために設けるもので、表示素子６０の全体を被覆し、切抜部５０ｃを被覆して切抜部５０ｃの外側の実装基板５０に掛かる大きさで、接着剤を介して接着固定している。
【００３７】
また、同様に、図２及び図３に示すように、実装基板５０の下面５０ｂにも、上面防湿シート６７Ａを設けたと同じ位置に、上面防湿シート６７Ａと同じ大きさのＰＥＴ樹脂シートからなる下面防湿シート６７Ｂを設けている。この上面防湿シート６７Ａ及び下面防湿シート６７Ｂはその片面に予め接着剤が設けられているものである。
そして、図３に示すように、上面防湿シート６７Ａと下面防湿シート６７Ｂを表示素子６０及び実装基板５０に熱加圧の下で接着し、切抜部５０ｃにおいては上面防湿シート６７Ａと下面防湿シート６７Ｂとが直接貼合わせ状態で接合している。そして、実装基板５０と表示素子６０を上面防湿シート６７と下面防湿シート６７Ｂによって密封状態にしている。
【００３８】
［効果の説明：図３］
次に、実装基板５０に切抜部５０ｃを設け、切抜部５０ｃ内で上面防湿シート６７Ａと下面防湿シート６７Ｂとを接合した場合の効果について図３を用いて説明する。
図３に示すように、上面防湿シート６７Ａ及び下面防湿シート６７Ｂを切抜部５０ｃの外側の実装基板５０に掛かる状態で配設し、上面防湿シート６７Ａと下面防湿シート６７Ｂとを熱加圧の下で接着すると、切抜部５０ｃの外側において、実装基板５０の上面５０ａに上面防湿シート６７Ａが接着し、実装基板５０の下面５０ｂに下面防湿シート６７Ｂが接着する。そして、切抜部５０ｃにおいては、上面防湿シート６７Ａと下面防湿シート６７Ｂとが直に接合する。
【００３９】
図３に示す切抜部５０ｃにおいて、Ｄは上面防湿シート６７Ａと下面防湿シート６７Ｂとが接着剤によって密着状態で直接接合している接合部を表している。この接合部Ｄは上面防湿シート６７Ａと下面防湿シート６７Ｂが直接、接合し合っている部分であるのでその密着度は非常に高く、またその接合力は非常に強い。そのため、接合部Ｄへの水分の浸透は極度に抑制され、防湿作用が強く働く。
【００４０】
また、上面防湿シート６７Ａと下面防湿シート６７Ｂは切抜部５０ｃの外側の実装基板５０に掛かる状態で配設している。そのため、切抜部５０ｃの外側において、上面防湿シート６７Ａと下面防湿シート６７Ｂは実装基板５０に接着固定される構造としている。しかしながら、上面防湿シート６７Ａと下面防湿シート６７Ｂは切抜部５０ｃで直接接着されれば、外側の実装基板５０に掛かる状態で配設しなくても構わない。
【００４１】
ここで、実装基板５０に設ける切抜部５０ｃの切抜幅の寸法は、実装基板５０の厚みや上面防湿シート６７Ａ並びに下面防湿シート６７Ｂの厚みを考慮して適宜な寸法に設定するのが好ましい。切抜幅が狭いと、使用する上面防湿シート６７Ａ及び下面防湿シート６７Ｂの使用面積量を減らすことができるが、逆に、上面防湿シート６７Ａと下面防湿シート６７Ｂとの接合幅が小さくなり、接合力が十分に得られない可能性が生じる。
また、切抜幅が広いと、上面防湿シート６７Ａと下面防湿シート６７Ｂとの強い接合力が得られて優れた防湿効果を得ることができるが、反面、上面防湿シート６７Ａ及び下面防湿シート６７Ｂの使用面積は大きく必要とされ、材料のコストアップを招く。
【００４２】
本実施形態においては、上面防湿シート６７Ａ及び下面防湿シート６７Ｂのシート厚みを０．０７３ｍｍのものを使用し、実装基板５０の切欠幅を２ｍｍに設定することで、耐湿性に優れた結果を得ることができた。
また、上面防湿シート６７Ａと下面防湿シート６７Ｂの使用量も、従来技術で図５をもって説明した保護フィルムの使用量より少なくすることが可能になって、材料費のコストダウン効果を得ることができた。また、表示付電子装置７０の厚みも特に厚くなる部分も無く、自由な湾曲が可能になってフレキシブルな表示付電子装置７０を得る効果を得た。
【００４３】
本実施形態では、表示素子の三辺側に切抜部５０ｃを設けた構成としたが、例えば表示素子の上側の一辺側一箇所でも、両側の二辺側の二箇所に設ける構成としてもよい。つまりは、上面防湿シートと下面防湿シートとが直接接着される箇所を一箇所でも設ければ、切抜部を設けない場合に比べて、充分な防湿効果が得られる。当然ながら、表示素子の周囲において、上下面の防湿シート同士が直接接着される面積が広いほどその効果は高くな
り、本実施形態のように三辺側に切抜部を設ける構成が最も好ましい。
【００４４】
なお、本実施形態においては、表示素子として電気泳動素子を用いたものから構成したが、特に電気泳動素子に限るものではない。例えば、有機ＥＬ（Ｅｌｅｃｔｏｒｏ  Ｌｕｍｉｎｅｓｃｅｎｃｅ）表示素子、フィルム液晶表示素子なども適用可能である。
また、本実施形態は、データの授受を非接触で行うＲＦＩＤシステムを用いた非接触型の表示付電子装置を示して説明したが、リーダライタと接続させて表示を行う接触型の表示付電子装置であっても本発明の構成は適用できるものである。
【符号の説明】
【００４５】
５０    実装基板
５０ａ    上面
５０ｂ    下面
５０ｃ    切抜部
５１    ベースフィルム
５２    セグメント電極
５３    スルホール電極
５４    下面配線電極
５５    上面配線電極
５６    上面オーバレイ
５７    下面オーバレイ
５９    ループアンテナ
５９Ａ    電源用ループアンテナ
５９Ｂ    データ用ループアンタナ
６０    表示素子
６１    透明基板
６２    共通電極
６３    マイクロカプセル
６４    接着層
６５    表示パターン
６６Ａ    ＲＦＩＤ用ＩＣ
６６Ｂ    表示素子用ＩＣ
６７Ａ    上面防湿シート
６７Ｂ    下面防湿シート
７０    表示付電子装置
【図１】
2013190912.tif 000003
【図２】
2013190912.tif 000004
【図３】
2013190912.tif 000005
【図４】
2013190912.tif 000006
【図５】
2013190912.tif 000007